(57)【要約】【課題】寒冷地においても安心して使用できる湯水混合散水栓装置を提供する。【解決手段】湯水の流入口、流出口、排出口を有し、弁箱内を弁体が移動して開栓、排出両状態を選択する湯水抜栓と、その下流側に位置し、ボデーに入水口、入湯口を有する混合水栓柱との、水の流出口と入水口、湯の流出口と入湯口とを地中、凍結深度以下において接続してなる。【選択図】図１
2005256427.tif 000002
【特許請求の範囲】
【請求項１】
湯水の流入口、流出口、排出口を有し、弁箱内を弁体が移動して開栓、排出両状態を選択する湯水抜栓と、その下流側に位置し、ボデーに入水口、入湯口を有する混合水栓柱との、水の流出口と入水口、湯の流出口と入湯口とを地中、凍結深度以下において接続してなる寒冷地用湯水混合散水栓装置。
【発明の詳細な説明】
【技術分野】
【０００１】
本発明は、庭等に設置され、水と湯が使用できる混合水栓柱を寒冷地においても使用できるようにした、寒冷地用湯水混合散水栓装置に関するものである。
【背景技術】
【０００２】
最近、寒くなってきた時、あるいは汚れ落ちの良いことから、屋外での手洗いや洗車等の目的のため、水だけでなく湯も使用できる混合水栓柱が使用され始めてきた。
【０００３】
しかし、北海道、東北等の寒冷地においては、冬期間、水栓柱内の湯水が凍結して使用できない、あるいは管の破損事故につながり、多大な費用がかかるため、一般的にはほとんど普及していなかった。
【特許文献１】特開２００２−３４８９２０号公報
【発明の開示】
【発明が解決しようとする課題】
【０００４】
そのため、寒冷地においても安心して使用できる寒冷地用湯水混合散水栓装置を提供することを目的とするものである。
【課題を解決するための手段】
【０００５】
湯水の流入口、流出口、排出口を有し、弁箱内を弁体が移動して開栓、排出両状態を選択する湯水抜栓と、その下流側に位置し、ボデーに入水口、入湯口を有する混合水栓柱との、水の流出口と入水口、湯の流出口と入湯口とを地中、凍結深度以下において接続することを最も主要な特徴とする。
【発明の効果】
【０００６】
本発明により、簡単な操作で確実に混合水栓柱の湯水の排出ができ、凍結防止を可能にしたので、寒冷地における快適な暮らしの向上に大きく貢献できるものであり、さらに、従来市販の混合水栓柱をそのまま、あるいはわずかな改良で寒冷地用として使用できる、という利点もある。  
【発明を実施するための最良の形態】
【０００７】
本発明は、上流側にもうけた湯水抜栓の操作により混合水栓柱の凍結防止をするものであり、戸外の給湯器の近傍に湯水抜栓、混合水栓柱を設置するのが配管の面から言って最も望ましいが、屋内に給湯器を設置する場合は、湯の流入口が給湯器、あるいは湯配管のできるだけ近傍になるよう、湯水抜栓を位置させておくのが、凍結防止上、最良となる。
【実施例１】
【０００８】
図２に本発明の装置概略図を示すが、Ａは戸外に設置された従来の混合水栓柱であり、地中凍結深度以下に埋設されるボデーＡ１の入水口Ａ２と入湯口Ａ３とから供給される湯水を、化粧管Ａ４内に収容されるそれぞれ別個の立上管（図面省略）を介して、図面と直角方向にもうけられる放出口Ａ５から混合して放出するようにしている。Ａ６、Ａ７は立上管からの湯水の混合用スピンドル（図面省略）の混合用ハンドルである。
【０００９】
Ｂは北海道のように給湯器Ｃが屋内に設置される場合の本発明の湯水抜栓であり、上端部にもうけられた湯の流入口Ｂ１によって給湯器Ｃの近傍に接続されており、その途中で湯配管Ｄを分岐する。地中、凍結深度以下に埋設された弁箱Ｂ２の水の流入口Ｂ３は引き込み管Ｅに接続され、水の流出口Ｂ４、湯の流出口Ｂ５は混合水栓柱Ａの入水口Ａ２、入湯口Ａ３と、それぞれ水供給管Ｆ、湯供給管Ｇを介して接続されている。
【００１０】
図１に湯水抜栓Ｂの断面図を示すが、弁箱Ｂ２は側方に水の流入口Ｂ３、水の流出口Ｂ４、湯の流出口Ｂ５を、Ｂ３、Ｂ４を同一軸心上に、Ｂ５をその上方に位置してもうけており、両者の中間部に湯水の排出口１を紙面と直角方向に形成している。図示しないが、排出口１には、地中の汚水が弁箱Ｂ２に侵入しないよう、逆止弁が接続されている。
【００１１】
内部には上から順に４個のシリンダ２、３、４、５を、湯の流出口Ｂ５と排出口１間、排出口１と水の流出口Ｂ４間、水の流出口Ｂ４と水の流入口Ｂ３間、水の流入口Ｂ３下方にそれぞれ形成している。
【００１２】
弁箱Ｂ２内には弁体６が収容され、弁体６には、上記シリンダ２、３、４、５を摺動する４個の環状パッキン７、８、９、１０を装着し、内部に、弁体６の下降時の水あるいは空気の圧縮防止用連通口１１を下端から環状パッキン７、８間に開口させて穿っている。なお、湯水の流出口Ｂ５、Ｂ４間に排出口１を配置しているので、開栓状態で環状パッキン７、８あるいは１０に事故があったような場合にも、水側に湯が混入する汚染や湯側に水が混入して圧力が上昇し、給湯器の事故を招く、等を効果的に防止することができる。  
【００１３】
弁箱Ｂ２はパイプ１２を介して室内に延長され、湯の流入口Ｂ１を有する湯受け弁箱１３に接続される。湯受け弁箱１３は側方に吸気弁１４をねじ接続しており、内部に湯受けシリンダ１５、１６を形成し、その上端に雌ねじ金具１７を接続する。
【００１４】
雌ねじ金具１７に作動用雄ねじ１８で螺合される操作桿１９は、上端にハンドル２０を装着し、下端に湯受け弁体２１を回転自在に管吊連結し、さらにロッド２２、ストッパ継手２３を介して弁体６に連結されている。湯受けシリンダ１５、１６を湯受け弁体２１に装着したＯリング２４、２５が摺動して湯の流入口Ｂ１を開閉するようにしている。２６はシリンダ１６下方に穿った、吸気弁１４に連通する吸気口である。
【００１５】
図は開栓状態を示しているが、引き込み管Ｅからの水は水の流入口Ｂ３、水の流出口Ｂ４、水の供給管Ｆを通って混合水栓柱Ａに至り、給湯器Ｃからの湯は、湯の流入口Ｂ１からパイプ１２、湯の流出口Ｂ５、湯の供給管Ｇを通って同じく混合水栓柱Ａに至っているので、混合ハンドルＡ６、Ａ７の操作により、湯水が放出口Ａ５から放出されることになる。
【００１６】
冬になり、混合水栓柱Ａ内の水抜きをしたい、というときは、湯水抜栓Ｂのハンドル２０を操作して操作桿１９を作動用雄ねじ１８により上昇させれば良く、湯受け弁体２１は回転することなく上昇し、Ｏリング２５が湯受けシリンダ１６に密着して湯の流入口Ｂ１を閉塞する。
【００１７】
同時に、弁体６の環状パッキン９がシリンダ４に密着して、水の流入口Ｂ３からの圧力水を遮断し、さらに上昇して環状パッキン７、８がそれぞれシリンダ２、３から離脱する。そのためパイプ１２内の湯は吸気弁１４が大気に開口し、吸気口２６から吸気しながら排出口１から排出される。
【００１８】
その後で混合水栓柱の混合ハンドルＡ６、Ａ７を開いて大気に開放すると、混合水栓柱Ａ内の湯水も水供給管Ｆ、湯供給管Ｇを通って、やはり排出口１から排出されるので、戸外あるいは床下等の凍結雰囲気になりやすい部分の湯水は完全になくなるため、凍結事故は生じないことになる。
【００１９】
この時、混合水栓柱Ａの混合ハンドルＡ６、Ａ７に接続される、湯水の遮断、流量調整用の混合スピンドル（図示せず）に予め吸気弁を内蔵しておけば、湯水抜栓Ｂを操作した後で、いちいち外に出て混合水栓柱Ａの操作をする必要がないので便利であるが、その場合には従来品の混合スピンドルを吸気弁付のものに交換しておく必要はある。
【００２０】
また、湯水抜栓Ｂの吸気弁１４を湯受け弁体２１あるいは操作桿１９内に収容することもでき、さらには、湯受け弁体２１のＯリングを１本増やし、Ｏリング２５がシリンダ１６に密着した後で、そのＯリングをシリンダから離脱させ、吸気させることも可能である。
【００２１】
湯配管Ｄ内の湯は、別の湯水抜栓あるいは湯排出弁で抜くことになるが、本実施例においては、湯配管Ｄと湯の流入口Ｂ１を近接させているため、両者管の配管が、湯水抜栓Ｂの排出操作後、凍結する恐れはない。
【実施例２】
【００２２】
図３に本発明の他の実施例における装置概略図を示すが、給湯器Ｃを屋内でなく戸外に設置しており、引き込み管Ｅは途中、水分岐管Ｈ１、Ｈ２として屋内、給湯器Ｃに立ち上げられ、地中に埋設されたボックスＪ内に収容される湯水抜栓Ｂに接続されている。給湯器Ｃからの湯配管Ｄは、地中で屋内側と湯水抜栓Ｂ側に分岐されており、水供給管Ｆ、湯供給管Ｇを介して混合水栓柱Ａに湯水が供給されるようになっている。なお、ボックスＪを省略し、ハンドル部分が地上に突出するタイプの湯水抜栓Ｂを採用しても良い。
【００２３】
図４に、図３の湯水抜栓Ｂの１実施例を示すが、弁箱Ｂ２は、側壁下方に水の流入口Ｂ３、水の流出口Ｂ４を、その上方に湯の流入口Ｂ１、湯の流出口Ｂ５をもうけ、その中間部に排出口１を有している。内部には、上から順に４個のシリンダ１５、１６、２、３を形成し、下端部に小径シリンダ２７をもうけ、その上端を弁座２８としている。
【００２４】
弁体６は、上記シリンダ１５、１６、２、３のそれぞれを摺動する４個の環状パッキン２４、２５、７、８を装着し、下端部に、上記小径シリンダ２７を摺動する樹脂製の制水環２９および弁座２８に密着する平パッキン３０をビス３１により離脱しないよう装着する。
【００２５】
図は開栓状態を示しているが、排出状態にするときは、ハンドル（省略）操作により弁体６を下降させると良く、環状パッキン２５がシリンダ１６に、制水環２９が小径シリンダ２７に密着して、湯の流入口Ｂ１と水の流入口Ｂ３からの湯水を遮断した後で、環状パッキン７がシリンダ２から、環状パッキン８がシリンダ３から離脱し、混合ハンドルＡ６、Ａ７を開くと混合水栓柱Ａ内の湯水は排出口１から排出されることになる。
【００２６】
混合スピンドルに吸気弁を収容しておけば、混合ハンドルＡ６、Ａ７を開かなくても水抜きが行えること、およびその他の作動態様は実施例１のものと同様であるが、本実施例においては、湯水抜栓Ｂを戸外に設置できるので、混合ハンドルの操作自体もあまり苦にならず、従って、従来の混合水栓柱をそのまま使用できる可能性もそれだけ高くなる、という利点があり、室内の給湯器Ｃ近傍に、湯水抜栓Ｂを突出させるという、配管上、生活空間上の障りを解消できるというメリットもある。
【００２７】
実施例１、２における湯水抜栓Ｂの排出口１は、湯水を混合して排出するようにしているが、例えば、環状パッキンおよびシリンダを１個増やし、湯用排出口と水用排出口を別個にもうけ、排出時においても湯水を混合しないようにして、より衛生面で安全策を採るようにしても良い。
【産業上の利用可能性】
【００２８】
本発明は、住宅の庭だけでなく、公園等、不特定多数の人が使用する公共性の場に設置しても良く、工場内で洗浄用として使用することもでき、いずれにしても寒冷地の快適な生活向上に大きく貢献できるものである。
【図面の簡単な説明】
【００２９】
【図１】本発明の湯水抜栓の１実施例を示す、開栓状態における縦断面図である。（実施例１）
【図２】本発明の１実施例を示す、装置概略図である。（実施例１）
【図３】本発明の他の実施例を示す、装置概略図である。（実施例２）
【図４】本発明の湯水抜栓の他の実施例を示す、開栓状態における縦断面図である。（実施例２）
【符号の説明】
【００３０】
Ａ    混合水栓柱
Ａ１  ボデー
Ａ２  入水口
Ａ３  入湯口
Ｂ    湯水抜栓
Ｂ１  湯の流入口
Ｂ２  弁箱
Ｂ３  水の流入口
Ｂ４  水の流出口
Ｂ５  湯の流出口
Ｃ    給湯器
１    排出口
６    弁体
【図１】
2005256427.tif 000003
【図２】
2005256427.tif 000004
【図３】
2005256427.tif 000005
【図４】
2005256427.tif 000006